(57)【特許請求の範囲】
【請求項１】
上部に電気自動車の充電プラグを接続する充電コンセントが配置され、下部に前記充電プラグから延設されているケーブルを掛け止めるケーブル保持部が形成されたケースと、前記ケースの下部に配置されて前記ケーブルの途中に設けられたコントロールボックスを保持する第１ボックス保持手段とを有する電気自動車充電コンセント装置であって、
前記第１ボックス保持手段は、前記コントロールボックスの収容空間を形成すると共に前記ケースの背部に収納可能なスライド片と当該スライド片の下端に設けられた前記コントロールボックスを載置する載置片とを有し、
当該載置片の下面には、前記第１ボックス保持手段の保持可能寸法を超える大型なコントロールボックスの収容空間を備えた第２ボックス保持手段の連結を可能とする連結部を具備し、前記第１ボックス保持手段に連結した前記第２ボックス保持手段を使用することで、収容可能なコントロールボックスの寸法を拡大したことを特徴とする電気自動車充電コンセント装置。
【請求項２】
前記連結部は、下端から前記スライド片内部に亘り形成された開口孔であり、
前記第２ボックス保持手段は、上端に前記開口孔に挿入して連結する連結片を有することを特徴とする請求項１記載の電気自動車充電コンセント装置。
【発明の詳細な説明】
【技術分野】
【０００１】
本発明は、電気自動車やプラグインハイブリッドカーを充電するための電気自動車充電コンセント装置に関する。
【背景技術】
【０００２】
電気自動車やプラグインハイブリッドカーの普及に伴い、家庭に於いて自動車を充電するためのコンセント装置の設置が進んでいる。このようなコンセント装置には、充電ケーブルに取り付けられたコントロールボックスを保持する保持部を必要に応じて設けることができるものがある。
例えば、特許文献１では、図４に示すように充電コンセントを備えたケース１０１の下方に巻回した充電ケーブル１０５を掛ける充電ケーブル保持部１０２を設け、更にその下方にコントロールボックス１０３を保持するボックス保持部１０４を設けた。また、ボックス保持部１０４は、コンセント及びケーブル保持部を一体形成したケース１０１とは別体とし、未使用時にはケース１０１の背部にスライドさせて主要部を収納可能とした。
【先行技術文献】
【特許文献】
【０００３】
【特許文献１】特開２０１３−８１３５４号公報
【発明の概要】
【発明が解決しようとする課題】
【０００４】
しかしながら、上記特許文献１の電気自動車充電コンセント装置は、所定の適用範囲内の寸法のコントロールボックス１０３に対しては良好に収容して保持できたが、適用範囲を超えた寸法のコントロールボックス１０３を備えた充電ケーブル１０５に対しては、コントロールボックス１０３を保持できなかった。その場合、充電ケーブル１０５の掛け止めが不安定なものとなり、ケーブル自体にストレスが加わった。
この問題を解決するには、適用範囲を超えた寸法のコントロールボックス１０３に対応する寸法の電気自動車充電コンセント装置を新たに作製すれば良いが、コストアップを招き現実的ではなかった。
【０００５】
そこで、本発明はこのような問題点に鑑み、既存の電気自動車充電コンセント装置の主要部を変更することなく、適用範囲を超えた寸法のコントロールボックスにも対応可能とした電気自動車充電コンセント装置を提供することを目的としている。
【課題を解決するための手段】
【０００６】
上記課題を解決する為に、請求項１の発明は、上部に電気自動車の充電プラグを接続する充電コンセントが配置され、下部に充電プラグから延設されているケーブルを掛け止めるケーブル保持部が形成されたケースと、ケースの下部に配置されてケーブルの途中に設けられたコントロールボックスを保持する第１ボックス保持手段とを有する電気自動車充電コンセント装置であって、第１ボックス保持手段は、コントロールボックスの収容空間を形成すると共にケースの背部に収納可能なスライド片と当該スライド片の下端に設けられたコントロールボックスを載置する載置片とを有し、当該載置片の下面には、第１ボックス保持手段の保持可能寸法を超える大型なコントロールボックスの収容空間を備えた第２ボックス保持手段の連結を可能とする連結部を具備し、第１ボックス保持手段に連結した第２ボックス保持手段を使用することで、収容可能なコントロールボックスの寸法を拡大したことを特徴とする。
この構成によれば、第１ボックス保持手段が保持できない大型のコントロールボックスであっても第２ボックス保持手段により保持することが可能となり、充電コンセントを備えたケースを交換することなく幅広い種類の充電ケーブルに対応可能となる。また、第１ボックス保持手段は取り外すことなく収納しておけば良いため、使用する充電ケーブルのコントロールボックスが小型なものに変更された場合に容易に対応できる。
【０００７】
請求項２の発明は、請求項１に記載の構成において、連結部は、下端からスライド片内部に亘り形成された開口孔であり、第２ボックス保持手段は、上端に開口孔に挿入して連結する連結片を有することを特徴とする。
この構成によれば、挿入操作で連結でき容易に連結できるし、堅牢な連結を実施できる。
【発明の効果】
【０００８】
本発明によれば、第１ボックス保持手段が保持できない大型のコントロールボックスであっても第２ボックス保持手段により保持させることが可能となり、充電コンセントを備えたケースを変更することなく幅広い種類の充電ケーブルに対応可能となる。
【図面の簡単な説明】
【０００９】
【図１】本発明に係る電気自動車充電コンセント装置の一例を示す斜視図であり、充電ケーブルを接続した状態を示している。
【図２】第１ボックス保持手段と第２ボックス保持手段とを分離した電気自動車充電コンセント装置の説明図である。
【図３】引き出した第１ボックス保持手段に第２ボックス保持手段を連結した電気自動車充電コンセント装置の説明図である。
【図４】従来の電気自動車充電コンセント装置の斜視図であり、充電ケーブルを接続した状態を示している。
【発明を実施するための形態】
【００１０】
以下、本発明を具体化した実施の形態を、図面を参照して詳細に説明する。図１は本発明に係る電気自動車充電コンセント装置の一例を示す斜視図であり、充電ケーブルを接続してコントロールボックスを保持した状態を下方から見た図である。図１において、１は充電コンセントを内蔵するケース、２はコントロールボックス４を保持するための第１ボックス保持手段、３は同様にコントロールボックス４を保持するための第２ボックス保持手段である、第１ボックス保持手段２をケース１に収納して第２ボックス保持手段３にコントロールボックス４を保持させた状態を示している。
【００１１】
ケース１は、上部に充電コンセント（図示せず）が配置され、下部に充電ケーブル保持部１１が鉤状に形成されたケース本体１ａと、充電コンセントを保護するコンセントカバー１ｂとから成り、コンセントカバー１ｂは施錠部１２を有している。このコンセントカバー１ｂは、上部後方がケース本体１ａに蝶着されて、前面側を上方に回動可能となっており、回動することで内部の充電コンセントが露出する。
【００１２】
尚、５（５ａ，５ｂ）は電気自動車等から延設されて充電コンセントに接続された充電ケーブルであり、コントロールボックス４は充電ケーブル５の途中に設置されている。充電ケーブル５ａは図示しない充電プラグが先端に設けられ、充電ケーブル５ｂは電気自動車等の充電端子に接続されている。
【００１３】
図２は第１ボックス保持手段２と第２ボックス保持手段３とを分離した説明図であり、第１ボックス保持手段２は、図２に示すように上下に延びた板状のスライド片２１とその下端に設けた載置片２２とを有している。スライド片２１は鋼板をコ字状に折り曲げて形成されたフレーム金具から成り、上下方向である長手方向に内部空間Ｓが形成されている。載置片２２は、スライド片２１を形成する鋼板の端部を折り曲げて樹脂片を被覆して形成されている。このスライド片２１が、ケース１の背部にスライド移動可能であって、収納した状態が図１に示す状態となる。
そして、スライド片２１の下端は開口形成されて内部空間Ｓと連通し、第２ボックス保持手段３を連結する連結部２１ａを形成している。
【００１４】
一方、ケース本体１ａの背部には、上下に亘りスライド片２１を収容する溝状の空間（図示せず）が形成され、ケース１が壁面等に設置された状態でスライド片２１のスライドを可能としている。
【００１５】
第２ボックス保持手段３は、第１ボックス保持手段２の内部空間Ｓにスライド片２１の下端から挿入して連結する舌状の連結片３２が上端に形成されたボックス支持片３１と、ボックス支持片３１の下端に設けられた載置片３３とを有し、ボックス支持片３１によりコントロールボックス収容空間が形成される。
尚、ボックス支持片３１は連結片３２を含めてスライド片２１と共通するフレーム金具を使用して作成され、長さのみ異なる形状となっており、低コストでの作製を可能としている。
【００１６】
図３は、引き出した第１ボックス保持手段２に第２ボックス保持手段３を連結した状態を示している。図３に示すように、第１ボックス保持手段２に挿入した連結片３２は、スライド片２１に形成された長孔２１ｂを介してネジ６により固定される。そして、第２ボックス保持手段３にコントロールボックス４を保持させる場合は、図１に示すように第１ボックス保持手段２の主要部はケース１に収納して使用される。尚、収納した第１ボックス保持手段２はネジ止め等で固定される。
また図３に示すＬ１，Ｌ２はコントロールボックス４の収容空間の大きさを示しており、Ｌ１が第１ボックス保持手段２の収容空間、Ｌ２が第２ボックス保持手段３が収容空間を示している。このように第２ボックス保持手段３のボックス支持片３１をスライド片２１より長く形成してＬ２＞Ｌ１とすることで、第１ボックス保持手段２の保持可能寸法を超えるサイズのコントロールボックス４を保持できる。
【００１７】
このように、第１ボックス保持手段２が保持できない大型のコントロールボックス４であっても第２ボックス保持手段３により保持することが可能となり、充電コンセントを備えたケース１を交換することなく幅広い種類の充電ケーブル５に対応可能となる。また、使用しない第１ボックス保持手段２は取り外すことなくケース１に収納しておけば良いため、使用する充電ケーブル５のコントロールボックス４が小型なものに変更された場合に容易に対応できる。
更に、第２ボックス保持手段３は連結片３２の挿入操作で連結でき、容易に連結できるし、堅牢な連結を実施できる。
【００１８】
尚、上記実施形態では、ボックス支持片３１の上端に設けた連結片３２を挿入して連結したが、ボックス支持片３１自体をスライド片２１の内部空間Ｓに合わせて形成して、ボックス支持片３１をスライド片２１に挿入して連結しても良い。
【符号の説明】
【００１９】
１・・ケース、１ａ・・ケース本体、２・・第１ボックス保持手段、３・・第２ボックス保持手段、４・・コントロールボックス、５・・充電ケーブル、２１・・スライド片、２１ａ・・連結部、３１・・ボックス支持片、３２・・連結片。
【図１】
0006619261.tif 000002
【図２】
0006619261.tif 000003
【図３】
0006619261.tif 000004
【図４】
0006619261.tif 000005